(57)【特許請求の範囲】
【請求項１】
基板と弾性部材とが接合され、その接合面の基板側もしくは弾性部材側、または基板と弾性部材の両側に溝部が形成されて流路とされるとともに、該弾性部材内部に該流路と連通する貫通孔を備えて、該貫通孔が導入物の注入口および／または排出口とされるとともに、前記接合面の弾性部材側の少なくとも一部が、前記貫通孔と前記流路とを連続させるように流路の壁面を有していることを特徴とする微細流路装置。
【請求項２】
請求項１に記載の微細流路装置において、
前記貫通孔の外部に向けて開口する近傍をその周囲の面から凸状とした一体ジョイントを設けるとともに、当該一体ジョイントの傾斜側壁の傾斜角を４５度以上９０度未満としてなることを特徴とする微細流路装置。
【請求項３】
請求項２に記載の微細流路装置において、
該微細流路装置の外部からの導入物を出し入れするために設けられ、
開口部を設けられた剛性部材を有し、該微細流路装置と接続するための該剛性部材に設けた開口部を含むその近傍で、該微細流路装置の前記一体ジョイントより面積が狭い領域を、その周囲から凹状のジョイント嵌合部、あるいは、内径が前記一体ジョイントより小さいパイプをジョイント嵌合部として、該ジョイント嵌合部の内壁端部を前記一体ジョイントの傾斜側壁の全周に押し当てるようにした接続機構をさらに有することを特徴とする微細流路装置。
【請求項４】
請求項１に記載の微細流路装置において、
前記貫通孔の外部に向けて開口する近傍をその周囲の面から凹状とした一体ジョイントを設けるとともに、当該一体ジョイントの傾斜側壁の傾斜角を４５度以上９０度未満としてなることを特徴とする微細流路装置。
【請求項５】
請求項４に記載の微細流路装置において、
該微細流路装置の外部からの導入物を出し入れするために設けられ、
開口部を設けられた剛性部材を有し、該微細流路装置と接続するための該剛性部材に設けた開口部を含むその近傍で、該微細流路装置の前記一体ジョイントより面積が狭い領域を、その周囲から凹状のジョイント嵌合部、あるいは、外径が前記一体ジョイントより小さいパイプをジョイント嵌合部として、該ジョイント嵌合部の外壁端部を前記一体ジョイントの傾斜側壁の全周に押し当てるようにした接続機構をさらに有することを特徴とする微細流路装置。
【請求項６】
請求項１に記載の微細流路装置において、
前記弾性部材が、前記基板に対して粘着性を有する材質を少なくとも接合面に有することを特徴とする微細流路装置。
【請求項７】
請求項６に記載の微細流路装置において、
前記弾性部材が、シリコンゴムを主に含むことを特徴とする微細流路装置。
【請求項８】
請求項７に記載の微細流路装置において、
前記弾性部材が、ポリジメチルシロキサンを主に含むことを特徴とする微細流路装置。
【請求項９】
請求項１〜８のいずれか一項に記載の微細流路装置において、
前記弾性部材が、剥離可能に前記基板と接合してなることを特徴とする微細流路装置。
【請求項１０】
請求項１に記載の微細流路装置を使用するための方法であって、
基板と弾性部材との接合状態における流路内に化学反応を行なうための導入物を注入して所望の流体処理を実行して処理後生成物を形成し、
前記流体処理を行った装置から弾性部材を剥離した後に、弾性部材側および／または基板側に保持されている処理後生成物を上記基板または弾性部材の非存在下で直接的に処理することを特徴とする微細流路装置の使用方法。
【請求項１１】
請求項１０に記載の微細流路装置の使用方法において、
前記流体処理が化学反応であって、導入物は反応の対象となる成分を少なくとも含んでおり、処理後生成物としての反応生成物を弾性部材の剥離後に測定することを特徴とする微細流路装置の使用方法。
【請求項１２】
請求項１０または１１に記載の微細流路装置の使用方法において、
前記流路を形成する基板および／または弾性部材の表面には予め反応用成分を固相化したことを特徴とする微細流路装置の使用方法。
【請求項１３】
請求項１０〜１２のいずれかに記載の微細流路装置の使用方法において、
前記導入物には少なくとも１種の反応用成分が含まれていることを特徴とする微細流路装置の使用方法。
【請求項１４】
請求項１０に記載の微細流路装置の使用方法において、
前記流体処理が特定成分の分離であって、導入物は分離の対象となる成分を少なくとも含んでおり、処理後生成物としての分離生成物を弾性部材の剥離後に採取および／または化学反応を実行することを特徴とする微細流路装置の使用方法。
【請求項１５】
請求項１０〜１４のいずれかに記載の微細流路装置の使用方法において、
上記接合面の基板側と弾性部材側の一方の側が平坦面を有し、この平坦面における処理生成物を弾性部材の剥離後に処理することを特徴とする微細流路装置の使用方法。
【発明の詳細な説明】
【０００１】
【発明の属する技術分野】
本発明は、微細流路装置、例えば微細な流路を形成した基板に流動物や気体などを導入する微細流路装置で、特に、その装置への導入物を注入および／または排出するための該装置の構造および微細流路装置の使用方法に係わるものである。
【０００２】
【従来の技術】
微細流路装置への流動物や気体などの導入物の注入・排出を行うため、装置と該装置外部の接続が必要不可欠である。この従来技術としては、「NOVEL INTERCONNECTION AND CHANNEL TECHNOLOGYIES FOR MICROFLUIDICS, N.J.Mourlas et al., Proceedings of the μTAS'98 Workshop 」（文献１）に開示がされている。
【０００３】
この文献１に開示の第１の従来技術（第１の技術）によれば、素子内部への液体の注入口あるいは排出口となる開口部を設け、この開口部に樹脂や金属からなる微細なパイプを接着あるいは圧入して、該装置外部から液体を注入しあるいは該装置外部へ液体を排出する、漏れのない流路接続を得るようにしている。
【０００４】
また、同時に開示されている第２の従来技術（第２の技術）では、素子内部への液体の注入口あるいは排出口となる開口部を設け、この開口部の周囲にＳｉＣなどからなるガスケット層を設け、その上部にプラスチックからなる装置とは別体のフィッティングカプラを、前記装置に設けた注入口あるいは排出口とは別の装置貫通孔に挿入してその挿入端部を熱溶着して固定し、該フィッティングカプラに設けた穴と装置の注入口あるいは排出口の位置を合わせ、その部位に微細パイプを圧入して、該装置外部から液体を注入しあるいは該装置外部へ液体を排出する、漏れのない流路接続を得るようにしている。
【０００５】
また、特願平１１−３２１２９１号では、別の技術（第３の技術）が提案されている。この第３の技術によれば、素子内部への液体の注入口あるいは排出口となる開口部を設け、装置外部からのチューブなどを接続したゴムなどの弾性体からなるジョイントを用い、前記ジョイントに設けた前記チューブなどと連通する貫通孔の周囲を凸状にした部位を前記装置の開口部に押し当てて、該装置外部から液体を注入しあるいは該装置外部へ液体を排出する、漏れのない流路接続を得る。
【０００６】
【発明が解決しようとする課題】
しかして、これら技術の場合、次のような問題を指摘することができる。
【０００７】
前記第１の技術（文献１）では、パイプなどの接続部材の圧入と確実な接着が必要となるため、接続部の封止に関する信頼性が低く、生産性も低く、装置が高価となる。また、微細流路素子を交換する場合に、接続を仲介する前記パイプなどと該装置外部からのチューブの取り外しと再取り付けが必要であることから、このため、一つの装置当たりの流路接続数が多い場合には、それだけ、その分、その交換に多大な時間を要することとなる。また、微細パイプにチューブを押し込む処理は、自動化が困難である。
【０００８】
また、前記第２の技術（文献１）および第３の技術のごとくに、フィッティングカプラやジョイントなどの部材を介在させる方法では、その接続に係わる部品点数が多く、各部品の信頼性を確保する必要があり、また、組み立ても、その分、煩雑なものになるがちとなる。したがってまた、このため、その分、生産性も低く、かつまた、その分、装置が高価なものとなりがちで、これらの点で、前記従来例（第１の技術）と同様の不利がある。また、微細流路素子を交換する場合には、フィッティングカプラやジョイントなど介在させた微細開口部への再接続が必要となり、この点でも、前記従来例と同様の問題がある。
【０００９】
本発明は、前記した技術の問題点に鑑みなされたものであり、微細流路装置への流動物や気体などの導入物を注入・排出する接続に関して、信頼性と生産性が高く、安価であり、接続の自動化が可能で、該装置交換が容易な、微細流路装置への導入物の注入・排出を行うための装置と該装置外部の接続を可能とする装置構造、および微細流路装置の使用方法を提供しようというものである。
【００１０】
【課題を解決するための手段及び作用効果】
本発明によって、以下のごとくの内容に特徴を有する微細流路装置および微細流路装置の使用方法が提供される。
【００１１】
本発明では、基板と弾性部材とが接合され、その接合面の基板側もしくは弾性部材側、または基板と弾性部材の両側に溝部が形成されて流路とされるとともに、該弾性部材内部に該流路と連通する貫通孔を備えて、該貫通孔が導入物の注入口および／または排出口とされるとともに、前記接合面の弾性部材側の少なくとも一部が、前記貫通孔と前記流路とを連続させるように流路の壁面を有している微細流路装置の構造とする（請求項１）。
【００１２】
また、かかる微細流路装置の好適実施の形態では、前記貫通孔の外部に向けて開口する近傍をその周囲の面から凸状とした一体ジョイントを設けるとともに、当該一体ジョイントの傾斜側壁の傾斜角を４５度以上９０度未満とした微細流路装置の構造とする（請求項２）。
【００１３】
更に、かかる構造を用いて外部との接続をなすのに好適な微細流路装置が本発明によって提供される。すなわち、請求項２記載の微細流路装置において、
該微細流路装置の外部からの導入物を出し入れするために設けられ、
開口部を設けられた剛性部材を有し、該微細流路装置と接続するための該剛性部材に設けた開口部を含むその近傍で、該微細流路装置の前記一体ジョイントより面積が狭い領域を、その周囲から凹状のジョイント嵌合部、あるいは、内径が前記一体ジョイントより小さいパイプをジョイント嵌合部として、該ジョイント嵌合部の内壁端部を前記一体ジョイントの傾斜側壁の全周に押し当てるようにした接続機構をさらに有する態様とする（請求項３）。
【００１４】
上述の微細流路装置の構造によれば、該弾性部材から成る凸状の一体ジョイントに、微細流路装置外部から剛性部材の凹部であるジョイント嵌合部を押し当てるが、その際、前記弾性部材の一体ジョイントの側面を装置基部に向けて前記した角度、つまり４５度以上９０度未満の角度（例えば、図２のθ１参照）で斜めに広がる形状とすることで、一体ジョイントの側壁部の前記内壁端部と当接する部位が弾性変形して互いにその全周において密着する。
【００１５】
かかる作用により、該接続部における導入物に対する封止性が確実に確保される。ここに、前記角度以外では、一体ジョイントの側壁部とジョイント嵌合部の内壁端部の密着性が低下して、良好な封止性が得られない。ジョイント嵌合部は、パイプ状の剛性部材であっても同様の作用を有する。
【００１６】
該構成によれば、フィッティングカプラやジョイントの流路を形成した装置とは別体からなる部材つまり接続仲介物が不要になり、かつそれら別部材を装置に取り付けることも不要になる。また、微細パイプを装置の注入口や排出口に圧入や接着することも不要となる。更には、凹部を形成した剛性部材を押し当てることだけで接続が可能となるので、接続が容易で、人手によらずに機器により自動的に接続することができる。したがって、接続部の構造および接続の方法が簡略化される。結果として、接続部の封止の信頼性が高くなり、また、安価で、自動接続が可能な接続方法を実現することができる。
【００１７】
また、上記構成とは異なる手段ながらも、同様の作用効果を奏し得る請求項４および請求項５記載のごとくの微細流路装置が本発明によって提供される。
【００１８】
すなわち、請求項１記載の微細流路装置において、前記貫通孔の外部に向けて開口する近傍をその周囲の面から凹状とした一体ジョイントを設けるとともに、当該一体ジョイントの傾斜側壁の傾斜角を４５度以上９０度未満とした微細流路装置の構造とする（請求項４）。
【００１９】
更には、請求項４記載の微細流路装置において、
該微細流路装置の外部からの導入物を出し入れするために設けられ、
開口部を設けられた剛性部材を有し、該微細流路装置と接続するための該剛性部材に設けた開口部を含むその近傍で、該微細流路装置の前記一体ジョイントより面積が狭い領域を、その周囲から凹状のジョイント嵌合部、あるいは、外径が前記一体ジョイントより小さいパイプをジョイント嵌合部として、該ジョイント嵌合部の外壁端部を前記一体ジョイントの傾斜側壁の全周に押し当てるようにした接続機構をさらに有する態様とする（請求項５）。
【００２０】
請求項２および請求項３の微細流路装置の構造では、弾性部材側の一体ジョイントを凸形状とし、外部から押し当てる剛性部材を凹形状として嵌合するが、請求項４、請求項５の場合は、凹凸の形状配置を逆とする構成とするものであり、かような構成でも、つまり弾性部材側に凹形状とした一体ジョイントを設け、外部から押し当てる剛性部材の開口部とその近傍を凸形状のジョイント嵌合部とする構成においても、前記した請求項２および請求項３の場合の装置構成と接続方法と同様の作用効果が得られる。
【００２１】
また、前記構成において、請求項６記載のごとくに、弾性部材が基板に対して粘着性を有する材質を少なくとも接合面に有する構成によれば、基板と弾性部材を接合する際、特に接着剤を用いることなく、流路を形成して、本発明に従う装置構成を得ることができるので、その分、該装置の製造が簡略なものとなる。更には、その粘着性により、ジョイント嵌合部の内壁端部あるいは外壁端部と、一体ジョイントの傾斜側壁の密着性が高まる作用効果を有する。
【００２２】
また、請求項７記載のごとくに該粘着性を有する弾性部材としてシリコンゴムを主に含む弾性部材を用いることができ、請求項８記載のごとく、特に良好な粘着性を有するポリジメチルシロキサン（Polydimethylsiloxane）を主に含む弾性部材を用いれば、前記接合が容易かつ強固な本発明に従う装置構成を得ることができる。これらの装置構成においても、もとより、前述したのと同様の作用効果を有するものである。更に、請求項９記載のごとく、弾性部材を剥離可能に基板に接合するようにすれば、装置使用後に弾性部材を交換することで生物試料による汚染を低減でき、また弾性部材と基板とを分離して洗浄することで、装置の再利用が容易となり、装置の使用に伴う廃棄物を低減でき、更に弾性部材側に溝を形成したものを多種多様な溝パターンで準備すれば、装置の製造コストを低減することができる。
【００２３】
また、前記構成において、請求項１０に記載の使用方法のように、接合状態の流路における３次元領域で所望の流体処理を行なうとともに、装置から弾性部材を剥離して、基板または弾性部材が存在しない状態で、弾性部材および／または基板に保持された処理後生成物に関する直接的な処理を行なうことによって、流路内の充分な処理容量によって充分量の処理生成物を生成するとともに、処理生成物に対してのみ選択的に次の処理を実行でき、処理性能および操作性が向上する。
【００２４】
また、前記構成において、請求項１１に記載の使用方法のように、接合状態の流路における３次元領域で所望の化学反応を行なうとともに、装置から弾性部材を剥離して、基板または弾性部材が存在しない状態で、弾性部材および／または基板に保持された反応成分に関する測定を行なうことによって、反応用成分に対する直接的な測定を簡単な測定手段で容易に実行することができるとともに、測定感度、測定精度ともに向上する。
【００２５】
また、前記構成において、請求項１２に記載の使用方法のように、測定すべき側に反応用成分を固相化すれば、弾性部材を剥離した後にも良好な保持状態を保てるので、反応結果を容易にかつ正確に実行できる。
【００２６】
また、前記構成において、請求項１３に記載の使用方法のように、導入物中に反応対象物（例えば液体試料）だけでなく反応用成分（例えば液体試薬）を少なくとも１種含む場合には、導入と同時に流路内での反応を実行でき、さらに２種以上の反応成分を含ませて導入することで多種多様な化学反応も同時に実行し得るので好ましい。
【００２７】
また、前記構成において、請求項１４に記載の使用方法のように、接合状態の流路における３次元領域で所望の分離処理を行なうとともに、装置から弾性部材を剥離して、基板または弾性部材が存在しない状態で弾性部材および／または基板に保持された分離生成物の採取および／または化学反応を行なうことによって、流路に導入された導入物から充分量の分離生成物を生成した後に直接的に採取したり反応させることが容易に行なうことができるとともに、分離生成物だけを効率良くかつ高精度に回収および／または化学反応させることができる。
【００２８】
また、前記構成において、請求項１５に記載の使用方法のように、平板部分を設けて、処理生成物に対する処理を平板上で行なうことによって、流路内での３次元的な処理と平板上での２次元的な処理を実行するので、処理生成物の生成と処理生成物に対する直接的な処理の両方を容易に実行して相容れない最適条件での処理が可能となるので、従来の方法では達成できなかった処理能力と操作性の向上を達成できる利点がある。
【００２９】
【発明の実施の形態】
以下、本発明の実施の形態を図面に基づき説明する。
【００３０】
〔基本的な実施の形態〕：
図１，２は、本発明に係る微細流路装置の説明に供するもので、このうち、図１は微細流路装置の第１の基本的な構成の一例を示す斜視図、図２は外部から押し当てる接続手段の一例としての剛性部材を含む該装置断面図である。これらの図を用いて、まず、本発明に従う上記第１の構成例で採用した基本的な手段および作用効果を説明する。
【００３１】
本例では、微細流路装置は基板１−１と弾性部材１−２とを有して、これら基板１−１と弾性部材１−２を接合するとともに、その接合面の基板１−１側あるいは弾性部材１−２側あるいは基板１−１と弾性部材１−２の両方に溝部を設けて流路となす。ここでは、図２に示すごとく、弾性部材１−２側に溝部１−１４を設けて流路１−３とし、また、該弾性部材１−２内部に該流路１−３の一部から該弾性部材１−２の該基板１−１と接合する部位から外部に達する貫通孔を設けて流動物や気体などの導入物の注入口１−６や排出口１−７となす。
【００３２】
こうした微細流路装置において、更に、該弾性部材１−２に設けた該貫通孔の該流路１−３と連結しない該装置外部に向けて開口する近傍を、該装置外部に向けてその周囲の面から凸状とした一体ジョイント１−４（一体ジョイント部）を設ける。ここに、その一体ジョイント１−４は、該弾性部材１−３表面に対する該一体ジョイント部の傾斜側壁１−１２の傾斜角θ１を４５度以上９０度未満とするようになして、弾性部材１−３に一体形成する。本微細流路装置は、こうした装置構造とする。
【００３３】
図２にはまた、上述のような装置構造に対し、外部から押し当てて接続するのに適した接続機構を併せて示してあり、これは次のように構成して接続をなすものとする。
【００３４】
すなわち、上記構造の微細流路装置に対して、更には、該装置と外部との間で前記導入物を出し入れするための接続機構で該装置と接続する剛性部材１−５を使用し、該剛性部材１−５については、図２に示すごとく、該剛性部材１−５に設けた開口部１−８，１−９を含むその近傍で、前記一体ジョイント１−４より面積が狭い領域を、その周囲から凹状としたジョイント嵌合部１−１０、あるいは、例えば内径が前記一体ジョイント１−４より小さいパイプをジョイント嵌合部として、その内壁端部１−１１を前記一体ジョイント１−４の傾斜側壁１−１２の全周に押し当てる接続方法を採る。
【００３５】
かかる構造と接続手法によれば、明細書冒頭で指摘した考察事項の観点からの良好な解決策を実現し得て、微細流路装置への流動物や気体などの導入物を注入・排出する接続に関して、信頼性と生産性が高く、安価であり、接続の自動化が可能で、該装置交換が容易な、微細流路装置への液体の注入・排出を行うための装置と該装置外部の接続を可能とする装置構造とその接続方法を提供することができる。
【００３６】
すなわち、本例では、上記微細流路装置における弾性部材１−２から成る開口部（貫通孔部分）の凸状の一体ジョイント１−４に、装置外部から剛性部材１−５の凹部であるジョイント嵌合部１−１０を押し当てるが、その際、前記弾性部材１−２の一体ジョイント１−４の側面を装置基部に向けて前記した角度、つまり４５度以上９０度未満の角度θ１で斜めに広がる形状（傾斜側壁１−１２）とすることで、一体ジョイント１−４の側壁部の前記内壁端部１−１１（ジョイント嵌合部１−１０の内壁端部１−１１）と当接する部位が弾性変形して互いにその全周において密着する。係る作用により、該接続部における導入物に対する封止性が確実に確保される。前記角度（４５度以上９０度未満の角度）以外では、一体ジョイント１−４の側壁部とジョイント嵌合部１−１０の内壁端部１−１１の密着性が低下して、良好な封止性が得られないことから、傾斜角θ１は上記のような範囲のものとするのがよい。なお、ジョイント嵌合部１−１０は、パイプ状の剛性部材であっても同様の作用を持つ。
【００３７】
該構成によれば、フィッティングカプラやジョイントの流路を形成した装置とは別体からなる部材つまり接続仲介物が不要になり、かつそれら別部材を装置に取り付けることも不要になる。また、微細パイプを装置の注入口や排出口に圧入することや接着することも、不要となる。更には、凹部を形成した剛性部材１−５を押し当てることだけで接続が可能となるので、接続が容易で、人手によらずに機器により自動的に接続することができる。したがって、接続部の構造および接続の方法が簡略化される。結果として、接続部の封止の信頼性が高くなり、また、安価で、自動接続が可能な接続方法を実現することができる。
【００３８】
なお、図２では、液体等の注入と排出のために押し当てる部材を一体としている（例えば、開口部１−８およびそれにつながるジョイント嵌合部１−１０の部分と、開口部１−９およびそれにつながるジョイント嵌合部１−１０の部分は、単一の部材（剛性部材）で形成してある）が、別体として、上述と同様の作用効果を得ることができる。
【００３９】
また、前記構成においては、微細流路装置の流路形成につき、図示のごとくに弾性部材１−２側に溝部１−４を設けて流路１−３とする場合を例示したが、先にも触れたように、これに限られるわけではなく、したがって、微細流路装置の流路は、上述構成にかかわらず、例えば基板１−１面に形成した溝部と弾性部材１−２を接合することにより流路を形成することもでき、これにより前述と同様の機能と作用効果を得ることができる。同様にして、更には、基板１−１と弾性部材１−２の両方に溝部を形成して、その部位を互いに接合することにより流路を形成して、前述と同様の機能と作用効果を得ることもできる。
【００４０】
また、弾性部材１−２についていえば、これは、基板１−１に対して粘着性材質を用いる構成とすれば、基板１−１と該弾性部材１−２を接合する際、特に接着剤を用いることなく、流路を形成し得て、上述した装置構成を得ることができるので、その分、該装置の製造（方法）が更に簡略なものとなる。更には、その粘着性により、ジョイント嵌合部１−１０の内壁端部１−１１と一体ジョイント１−４の傾斜側壁１−１２の密着性が高まる作用効果を持つ。
【００４１】
また、該粘着性をもつ弾性部材としてシリコンゴムを用いることができ、特に良好な粘着性をもつポリジメチルシロキサン（Polydimethylsiloxane）を用れば、前記接合が容易かつ強固な装置構成を得ることができる（ポリジメチルシロキサンを用いる点については、後記具体例でも述べられる）。このような材料は、市販のものを有効に使用でき、例えば型取り用シリコーンＲＶＴゴムＫＥ−１３１０ＳＴ（商品名：信越化学工業株式会社製）を好適に用いることができる。
【００４２】
また、弾性部材は１−２は、好ましくは基板１−１に対して剥離可能に接着する。このようにすれば、装置使用後に他の弾性部材１−２と交換することにより、生物試料による汚染を低減できる。また、弾性部材と基板とを分離して洗浄できるので、装置の再利用が容易となり、装置の使用に伴う廃棄物を低減できる。更に、弾性部材側に溝を形成したものを多種多様な溝パターンで準備することで、装置の製造コストを低減することができる。
【００４３】
かくして、上記構成によると、微細な流路を形成した基板等に流動物や気体などを導入する微細流路装置で、特に、その装置への導入物を注入・排出するための該装置の構造およびその装置外部との接続方法ならびに接続のための接続機構として好適なものが得られ、例えば、ＤＮＡキャピラリアレイなどの微細流路装置において、シリコンゴムなどによる弾性部材にジョイント１−４を一体形成する構造と、それを用いた接続方法として有利なものとなる。
【００４４】
図３，４は、本発明に従う他の基本的な構成例を示すもので、図３は微細流路装置の第２の基本的な構成の一例を示す斜視図で、前記図１に相当するものであり、また、図４は前記図２に相当するものであって、その装置に対し外部から押し当てるものとして適した剛性部材を含めて示す、該装置断面図である。なお、図３，４の場合も、その基本的な点は、前記図１，２の場合に準じているので、以下では、図３，４を参照して、本発明に従う本構成例で採用した手段および作用効果をについて、その要部を説明する。
【００４５】
本例でも、微細流路装置は、基板２−１と弾性部材２−２を接合し、その接合面の基板２−１側あるいは弾性部材２−２側あるいは基板２−１と弾性部材２−２の両方に溝部を設けて流路とし（ここでも、図４図示のごとく、弾性部材２−２側に溝部２−１４を設けて流路２−３とした場合の構成を示してある）、該弾性部材２−２内部に該流路２−３の一部から該弾性部材２−２の該基板２−１と接合する部位から外部に達する貫通孔を設けて、流動物や気体などの導入物の注入口２−６や排出口２−７とした微細流路装置であるが、本例では、該微細流路装置において、該弾性部材２−２に設けた該貫通孔の該流路２−３と連結しない該装置外部に向けて開口する近傍を、該装置外部に向けてその周囲の面から凹状とした一体ジョイント２−４（一体ジョイント部）を設け、該弾性部材２−２表面に対する該一体ジョイントの傾斜側壁２−１２の傾斜角θ２を４５度以上９０度未満とした装置構造とするものである。
【００４６】
更には、該装置と外部との間で前記導入物を出し入れするための接続機構で該装置と接続するための剛性部材２−５に設けた開口部２−８，２−９を含むその近傍で、前記一体ジョイント２−４より面積が狭い領域を、その周囲から凸状のジョイント嵌合部２−１０、あるいは、外径が前記一体ジョイント２−４より小さいパイプをジョイント嵌合部として、その外周端部２−１１を前記一体ジョイント２−４の傾斜側壁２−１２の全周に押し当てるようにする接続方法を採るものである。
【００４７】
図１，２に示した第１の基本的な装置構成および接続方法では、弾性部材（１−２）の開口部とその近傍を凸形状とし、外部から押し当てる剛性部材（１−５）を凹形状として嵌合するが、一方、図３，４に示した第２の基本的な装置構成および接続方法では、凹凸の形状配置を逆とする構成、つまり弾性部材２−２の開口部とその近傍を凹形状とした一体ジョイント２−４を設け、外部から押し当てる剛性部材２−５の開口部とその近傍を凸形状のジョイント嵌合部２−１０とする構成であり、このような構成においても、前記した図１，２の装置構成と接続方法と同様の作用効果が得られる。また、弾性部材２−２の外側面を平坦にすることができるので、装置の搬送ミスが生じ難く、操作性を向上できるという利点もある。
【００４８】
〔具体的な実施の形態〕：
次に、図５以下に、本発明に従う微細流路装置とこれに接続した接続機構の具体的な実施の形態について説明する。
【００４９】
図５ないし図７は、本発明による第１の具体的な実施の形態を示すもので、図５および図６は、接続機構を接続した状態の微細流路装置の斜視図および断面図であり、図７中、（ａ）および（ｂ）はその接続機構および微細流路装置それぞれの斜視図であり、また（ｃ）および（ｄ）はその微細流路装置における弾性部材および基板それぞれの斜視図である。ここに、図７（ｄ）に示す基板３−１と図７（ｃ）に示す弾性部材３−２を接合したのが図７（ｂ）に示す微細流路装置であり、そして、更に、その図７（ｂ）に示す微細流路装置に対し図７（ａ）に示す接続機構を押し当てるようにして接続して組み合わせたのが図５および図６に示す状態である。
【００５０】
これらの図はまた、微細流路装置において、装置上部のカバー部材にジョイントを一体形成する構造と、それを用いた外部との接続方法の説明に供する図でもある。なお、本実施の形態は、前記図１，２で説明した第１の基本的な実施の形態を更に拡張した構成例でもある。したがって、その基本的な点は、前記図１，２の場合に準じているので、以下では、本実施の形態の要部について説明する。
【００５１】
本微細流路装置は、図示のごとくの下部の基板３−１と上部の弾性部材３−２とを備える。該装置における弾性部材３−２は、図５、図６、図７（ｂ）ならびに図７（ｃ）に示されるごとく、装置下部の基板３−１に対するカバー部材ともなるもので、先にも触れたように、例えばポリジメチルシロキサン（Polydimethylsiloxane：以下、単にＰＤＭＳともいう）を金型により形成（一体成型）した弾性部材であり、これは、例えば導入物としての検査液の注入のための開口部となる検査液注入口３−６と、処理後の検査液を回収するための開口部となる排出口３−７とが基台（基台部）を貫通して設けられ、これらそれぞれの開口は、その周囲の基台面から凸状とした一体ジョイント３−４（一体形成されたジョイント）を伴い、その頂上部に設けられて、また、その裏面、つまり一体ジョイント３−４とは反対側の面は、ここでは、平滑な面とされている（したがって、本例では、次に述べるような溝部（３−１４）は、弾性部材３−２側には設けられていない）。
【００５２】
このように、ここではＰＤＭＳによるカバー部材（３−２）にジョイント３−４（凸状ジョイント）を一体形成する構造とすることができる。なお、図示例では、注入口３−６および排出口４−６は、計６個あり、したがってまた、これに対応して一体形成される一体ジョイント３−４も計６個設けられる。
【００５３】
一方、例えばシリコンからなる基板３−１は、図６および図７（ｄ）に示すごとく、その表面（弾性部材３−２と接合される側の面）に流路３−３となるべき溝部３−１４が形成されている。前記弾性部材３−２の裏面と基板３−１の溝部３−１４が形成された表面を、前記弾性部材３−２を成すＰＤＭＳの粘着性を用いて接合することにより、図５，６のそれぞれの下部ならびに図７（ｂ）に示される微細流路装置が構成されている。
【００５４】
図７中では、同図（ｃ），（ｄ）の各要素を図中上下方向に接合すると、図７（ｂ）の微細流路装置となる。かかる微細流路装置に対し図５、図６のように接続機構を接続して組み合わせる。
【００５５】
図５、図６ならびに図７（ａ）に示される該装置外部との接続機構である、例えばアルミニウムを切削することにより形成してなる剛性部材３−５は、開口部３−８，３−９を設けられるとともに、該開口部に臨んで裏面にジョイント嵌合部３−１０となる凹部が形成されており、上面には該ジョイント嵌合部３−１０と連通する導入物を導く、あるいは排出するチューブ３−１５が接続されて構成される。図５、図６ならびに図７（ａ）中、チューブ３−１５の非接続端側（先端側）は破断して示してある。なお、ジョイント嵌合部３−１０は、微細流路装置側の一体ジョイント３−４に対応するよう６個設けられる。したがって、図示例では、ジョイント部は計６箇所ある。
【００５６】
かかる微細流路装置において、弾性部材３−２（カバー部材）にジョイント３−４を一体形成した構造を用いる外部との接続方法は、次のようにして実施することができる。
【００５７】
図５および図６に示されるように、該微細流路装置の一体ジョイント３−４上方から、上記接続機構の各ジョイント嵌合部３−１０と一体ジョイント３−４が嵌合するように押し当てて、すなわち凹状のジョイント嵌合部３−１０の内壁端部３−１１を凸状の一体ジョイント３−４の傾斜側壁３−１２の全周に押し当てて、装置と外部とを接続する（図７中では、同図（ａ），（ｂ）の各要素を図中上下方向に組み合わせると、図５，６の接続状態となる）。かような接続の様子を含め本接続部の断面の状態が図６によって示され、同図は、中央に注入口３−６があって図中その左右に（両側に）排出口３−７，３−７がある箇所に沿って横断面として示したものである。
【００５８】
次に、本実施の形態の作用と効果を説明する。
【００５９】
それぞれのジョイント部における接続については、既述した本発明の基本的な実施の形態の作用効果で述べたのと同様の作用と効果を持つ。更には、本実施の形態には、上記作用効果のほかに、次のような特有の作用効果がある。
【００６０】
複数（図示例では６個）の前記ジョイント嵌合部３−１０が同一の剛性部材３−５に形成されていることにより、複数（図示例では６個）の前記一体ジョイント３−４に一括して接続することができ、このように複数の接続を持つ装置においても、これにより接続が簡略化され、また、接続動作も自動化が容易となる。特に、高い粘着性と弾性を持つＰＤＭＳを弾性部材３−２として用いることにより、該装置の作製が簡略化されることばかりではなく、それぞれ一体ジョイント３−４とジョイント嵌合部３−１０の端部３−１１が押し当たる部位で、該粘着作用と弾性作用により、封止特性が高い接続を得ることができる。
【００６１】
なお、本実施の形態における各構成は、当然、各種の変形、変更が可能である。
例えば、弾性部材（１−２，２−２，３−２）および／または基板（１−１，２−１，３−１）の流路部分の少なくとも一部に対して、導入物（例えば、生物学的材料である血液成分や核酸等）と化学反応（例えば、生物学的反応である酵素反応、抗原抗体反応、核酸ハイブリダイゼーション反応や発光反応等）し得る試薬を固定化することによって、反応装置として機能させてもよい。ここで、弾性部材または基板のいずれか一方に試薬を配置するようにすれば、反応後に弾性部材または基板のみを交換するだけで装置を安価に再利用できる。更には、前述したように該装置部材の再利用が容易であることから、該装置の使用に伴う廃棄物が低減される。
【００６２】
また、図８に示すように、弾性部材４−２の溝部４−１４の一部をスリット状にくり抜いた流路として、２枚の基板４−１で挟むようにして流路４−３を形成することもできる。この場合、２枚の基板４−１は光透過性の高いものが好ましく、こうすることによって外部からの観察または光学的測定が容易になるという利点がある。なお、図８において、符号４−４は一体ジョイントを、符号４−６は注入口を、符号４−７は排出口をそれぞれ示している。
【００６３】
また、注入口３−６あるいは排出口３−７、すなわちそれらを伴う一体ジョイント３−４は、上記６個に限られることなく、該装置の機能に必要な任意の数とすることができる。また、これら複数の一体ジョイント３−４に対応するジョイント嵌合部３−１０は、複数の剛性部材に分けて設けることもできる。
【００６４】
また、基板３−１の材質は、上記シリコンに限られることなく、該装置に必要な機能を実現するための、例えばガラスや溶融石英などの任意の材質を用いることができる。同様に、弾性部材３−２の材質は、前記ＰＤＭＳに限られることなく、ラテックスなど弾性を有する材質を用いることができる。
【００６５】
なお、該装置の構成と接続方法は、装置の流路の形状には依存しない（したがって、図７（ｄ）に示す溝部３−１４のパターンも例示であり、もとよりこれに限定されるものではない）。また、流路をなす溝部は、弾性部材３−２に設けても、あるいは弾性部材３−２と基板３−１の両方に設けても、なんら本実施の形態の作用と効果に影響を与えることはなく、上述と同様の作用と効果を奏し得るものである。
【００６６】
次に、本発明による第２の具体的な実施の形態を図９ないし図１１を用いて説明する。
【００６７】
図９および図１０は、接続機構を接続した状態の微細流路装置の斜視図および断面図であり、図１１中、（ａ）および（ｂ）はその接続機構および微細流路装置それぞれの斜視図であり、また（ｃ）および（ｄ）はその微細流路装置における弾性部材を上面側および下面側からみた斜視図である。ここに、平坦基板５−１に対し図１１（ｃ），（ｄ）に示す弾性部材５−２を接合したのが図１１（ｂ）に示す微細流路装置であり、そして、更に、その図１１（ｂ）に示す微細流路装置に対し図１１（ａ）に示す接続機構を押し当てるようにして接続して組み合わせたのが図９および図１０に示す状態である。
【００６８】
これらの図はまた、微細流路装置において、前記第１の実施の形態同様、ＰＤＭＳなどによるカバー部材にジョイントを一体形成する構造と、それを用いた外部との接続方法の説明に供する図でもある。
【００６９】
なお、本実施の形態は、前記図３，４で説明した第２の基本的な実施の形態を更に拡張した構成例でもある。したがって、その基本的な点は、前記図３，４の場合に準じているので、以下では、本実施の形態の要部について説明する。
【００７０】
本微細流路装置は、図示のごとくの下部の基板５−１と上部の弾性部材５−２とを備える。該装置における弾性部材５−２は、図９、図１０ならびに図１１（ｂ）ないし（ｄ）に示されるごとく、装置下部の基板５−１に対するカバー部材ともなるもので、例えばポリジメチルシロキサン（ＰＤＭＳ）を金型により形成（一体成型）した弾性部材であり、これは、例えば導入物としての検査液の注入のための開口部となる検査液注入口５−８と、処理後の検査液を回収するための開口部となる排出口５−６，５−７とが基台（基台部）を貫通して設けられ、これらそれぞれの開口は、その周囲の基台面から凹状とした一体ジョイント５−４（一体形成されたジョイント）を伴い、その低部に設けられて、また、その裏面側には、つまり該一体ジョイント５−４とは反対側の面には、図１１（ｄ）に示すように、ここでは、流路５−３を形成するための溝部５−１４が設けられ、その溝部５−１４に支柱５−１４が設けられてなる。
【００７１】
このように、ここではＰＤＭＳによるカバー部材（５−２）にジョイント５−４（凹状ジョイント）を一体形成する構造とすることができる。なお、本例では、注入口５−８および排出口５−６，５−７は、計４個あり、したがってまた、これに対応して一体形成される一体ジョイント５−４も計４個設けられる。
【００７２】
一方、基板５−１は、図１０に示すごとく、例えばガラスからなる平坦な基板であり（したがって、本例では、流路を形成する溝部は、基板５−１側には設けられていない）、該基板５−１と前記弾性部材５−２の溝部５−１４が形成された裏面とを、前記弾性部材５−２を成すＰＤＭＳの粘着性を用いて接合することにより、図９，１０のそれぞれの下部ならびに図１１（ｂ）に示される微細流路装置が構成されている。
【００７３】
かかる微細流路装置に対し図９、図１０のように接続機構を接続して組み合わせる。
【００７４】
図９、図１０ならびに図１１（ａ）に示される該装置外部との接続機構である、例えばアルミニウムを切削することにより形成してなる剛性部材５−５は、開口部５−８，５−９を設けられるとともに、該開口部に臨んで裏面にジョイント嵌合部５−１０となるパイプ状の凸部５−１８が形成されており、上面には該ジョイント嵌合部５−１０と連通する導入物を導く、あるいは排出するチューブ５−１５が接続されて構成される。図９、図１０ならびに図１１（ａ）中、チューブ５−１５の非接続端側（先端側）は破断して示してある。なお、ジョイント嵌合部５−１０は、微細流路装置側の一体ジョイント５−４に対応するよう４個設けられる。したがって、本例では、ジョイント部は計４箇所である。
【００７５】
かかる微細流路装置において、弾性部材５−２（カバー部材）にジョイント５−４を一体形成した構造を用いる外部との接続方法は、次のようにして実施することができる。
【００７６】
図９および図１０に示されるように、該微細流路装置の一体ジョイント５−４上方から、上記接続機構の各ジョイント嵌合部５−１０と一体ジョイント５−４が嵌合するように押し当てて、すなわち凸状のジョイント嵌合部５−１０の外壁端部５−１１を凹状の一体ジョイント５−４の傾斜側壁５−１２の全周に押し当てて、装置と外部とを接続する（図１１中では、同図（ａ），（ｂ）の各要素を図中上下方向に組み合わせると、図９，１０の接続状態となる）。かような接続の様子を含め本接続部の断面の状態が図１０によって示され、同図は、排出口３−６，３−７が横に３個並んだ箇所に沿って横断面として示したものである。
【００７７】
本微細流路装置を用いて反応、検出をそのまま行うことも可能であるが、接合した基板と弾性部材を再び剥離して用いる方法について説明する。
【００７８】
本発明を多数のＤＮＡプローブを固相したＤＮＡチップとして用いる場合、基板にＤＮＡプローブを固相する。基板は平板とすることができるので固相法は既存方法をそのまま利用することができる。例えばスポッティング方式、インクジェット方式でＤＮＡプローブを基板に直接点着する点着方法や、光反応を用いて特定の場所にプローブを固相化する光固相方法が挙げられる。但し、本微細流路装置では流路に対応する部分にＤＮＡプローブを固相する必要がある。基板にＤＮＡプローブを固相後、弾性部材を接合し、微細流路装置を形成する。接合は弾性部材の粘着性を利用して基板に接合するが、シリコン樹脂などの弾性部材は、粘着するだけで十分なシール性を発揮して液漏れを生じないとともに成形もし易いので、本発明の装置への適用に向いている。
【００７９】
従って、例えば、微細流路装置に複数の別々の流路を形成して異なる種類の液を流しても互いに混ざったり流路が壊れる等の問題が無く、種々の液体処理（例えば、化学反応、抽出処理、流路内の洗浄等）を行なえる。また、所望の液体処理を終えた後には、接合した基板と弾性部材は再び剥離することができ、ＤＮＡプローブを固相した基板を市販の測定装置を用いて測定することができる。
【００８０】
具体的には、図１〜図４に示すような流路１−３、２−３に対して、測定すべき核酸を含有する液体試料を注入して、流路内で核酸ハイブリダイゼーション反応による反応生成物の形成反応を行なうことができる。この場合、液体試料と同時または順次に、試料中の標的核酸と反応する核酸プローブを含む液体試薬を反応成分として注入すればよい。ここで、流路内の液体が流路沿いに往復移動するように注入圧力と排出圧力を交互に付与することによって、流路内での攪拌が行なわれて反応が促進される。このようにして、流路内の３次元的な領域において、充分な反応が行われる。
【００８１】
所要の反応時間が終了した段階で、弾性部材１−２、２−２を基板１−１、２−１から剥離して、基板上または弾性部材上に保持された液体に関する反応結果を測定する。この測定は、例えば蛍光測定装置によって、反応結果としての蛍光強度を測定するように行なわれるが、流路を形成したままの状態で測定する場合と違って、液体からの光信号を直接取得することができるので、測定感度が高まる。特に、図１〜図４の例では、基板が平坦面であることを有効に利用して、同一の流路内の基板側に複数種類の核酸プローブを高密度に固相化し、化学反応としてのハイブリダイゼーションについては３次元的に実行し、測定については２次元的に実行することによって、反応量の増加と多項目の同時測定を効率良く実行できる。
【００８２】
なお、液体試薬による化学反応および測定は、上述した他の全ての例に適用できるが、測定に必要な液体を保持できる溝幅または適宜の微細孔を設けるのが好ましい。また、固相化試薬による化学反応および測定も、上述した他の全ての例に適用できるが、弾性部材を剥離したときに、基板側または弾性部材側のいずれか平坦面である側に対して固相化試薬を設けるのが好ましい。固相化試薬を平坦面に配置する技術としては、上述した点着方法や光固相法を、流路に沿って複数箇所行なうことによって実行できる。必要に応じて、流路沿いに固相化する長さを設定するためには、点着数や光照射数を増減させればよい。
【００８３】
固相化試薬を用いた場合、例えば、平坦な基板に核酸プローブであるＤＮＡ試薬を固相化したものに対して、弾性部材による流路を形成せずに２時元的な化学反応を行なった場合には、３次元的な反応と比べて反応し得る試薬量が少ないばかりでなく、攪拌も困難なため充分な反応が行なわれず、感度が低下する。実際に、スライドガラス（幅約２５ｍｍ、長さ約７６ｍｍ）上にて核酸ハイブリダイゼーション反応を行った実験では、液体試料を添加したカバーガラス上に、蒸発防止用のカバーガラスをマウントして所定の反応温度下に放置した場合に比べて、スライドガラス上に、溝を設けたＰＤＭＳ製の弾性薄板（幅約２５ｍｍ、長さ約７６ｍｍ）を接合した状態で同様条件にて反応させた場合の方が測定強度が明らかに増大した。なお、スライドガラスの中央領域（幅約２０ｍｍ、長さ約２０ｍｍ）に６列の流路を平行にかつ等間隔に形成するように、ガラス上への固相化処理と弾性薄板への溝形成を行なった。このように、複数（２以上）の流路を、同一装置上に形成しても流路同士の液体が混ざったりせず、別々に液体処理することが容易に実行できるという利点も有する。
【００８４】
なお、上記の化学反応以外にも、本発明の装置の使用方法としては、所定流体（液体または気体）中の物質の分離と採取に適用できる。即ち、上記基板および弾性部材を接合した状態で３次元的な分離工程（アフィニティークロマトグラフィー、電気泳動等）を実行し、次に弾性部材を剥離して、流路内で分離された物質を分離後生成物として基板および／または弾性部材から採取することが簡単に行える。この分離工程は、種々の化学反応による統合によっても実施できる。
【００８５】
また、弾性部材を剥離した後に、採取する前または採取する代わりに、分離された物質に応じた試薬を点着手段等によって添加して選択的に反応させることもできる。さらに、弾性部材を剥離した状態で、基板および／または弾性部材の表面を洗浄することによって、廃棄物汚染の低減や再使用回数の増加にも寄与することができる。
【００８６】
このように、流路状態での３次元的な流体処理と弾性部材を剥離した後の処理後生成物に関する２次元的な流体処理とを融合させた独特な複合的液体処理方法によって、本発明の装置を最大限に利用することが可能となるであろう。
【００８７】
次に、本実施の形態の作用と効果を説明する。
【００８８】
それぞれのジョイント部における接続については、既述した本発明の基本的な実施の形態の作用効果で述べたのと同様の作用と効果を持つ。更には、本実施の形態には、上記作用効果のほかに、次のような、前記第１の具体的な実施の形態と同様の作用効果を有する。
【００８９】
すなわち、複数（図示例では４個）の前記ジョイント嵌合部５−１０が同一の剛性部材５−５に形成されていることにより、複数（図示例では４個）の前記一体ジョイント５−４に一括して接続することができ、このように複数の接続を持つ装置においても、これにより接続が簡略化され、また、接続動作も自動化が容易となる。特に、高い粘着性と弾性を持つＰＤＭＳを弾性部材５−２として用いることにより、該装置の作製が簡略化されることばかりではなく、それぞれ一体ジョイント５−４とジョイント嵌合部５−１０の端部５−１１が押し当たる部位で、該粘着作用と弾性作用により、封止特性が高い接続を得ることができる。
【００９０】
なお、本実施の形態における各構成も、当然、各種の変形、変更が可能である。例えば、注入口５−８あるいは排出口５−６，５−７、すなわちそれらを伴う一体ジョイント５−４は、上記４個に限られることなく、該装置の機能に必要な任意の数とすることができる。また、これら複数の一体ジョイント５−４に対応するジョイント嵌合部５−１０は、複数の剛性部材に分けて設けることもできる。また、基板５−１の材質は、上記ガラスに限られることなく、該装置に必要な機能を実現するための、例えばシリコンや溶融石英などの任意の材質を用いることができる。同様に、弾性部材５−２の材質は、前記ＰＤＭＳに限られることなく、ラテックスなど弾性を有する材質を用いることができる。
【００９１】
なお、該装置の構成と接続方法は、装置の流路の形状には依存しない（したがって、図１１（ｄ）に示す溝部５−１４の構成も例示であり、もとよりこれに限定されるものではない）。また、流路をなす溝部は、基板５−１に設けても、あるいは弾性部材５−２と基板５−１の両方に設けても、なんら本実施の形態の作用と効果に影響を与えることはなく、上述と同様の作用と効果を奏し得るものである。
【００９２】
なお、本発明は、以上で述べてたきた各例（それぞれの各種変形、変更例を含む）による微細流路の装置構造およびその装置外部との接続に限定されるものではない。例えば、凸形状または凹形状の一体ジョイントを弾性部材に設ける場合に、その弾性部材に一体形成する一体ジョイントの形成箇所については、図２、図４、図６、または図１０の例のように、いずれも、装置上部のその弾性部材の上面側としたが、こうした態様に限らず、装置外部に向けて開口する近傍をその周囲の面から凸状とした、または凹状とした一体ジョイントをその弾性部材に設けるにあたっては、弾性部材の上面側ではなく、その側面側でもよく、したがって、側面に向けて開口する近傍を凸形状または凹形状の一体ジョイントとする態様でもよい。
【００９３】
また、以上に記載された内容は、次のような発明と捉えることもできる。
【００９４】
〔付記項１〕  基板と弾性部材を接合し、その接合面の基板側あるいは弾性部材側あるいは基板と弾性部材の両方に溝部を設けて流路とし、該弾性部材内部に該流路の一部から該弾性部材の該基板と接合する部位外部に達する貫通孔を設けて流動物や気体などの導入物の注入口や排出口とした、微細流路装置において、該弾性部材に設けた該貫通孔の該流路と連結しない該装置外部に向けて開口する近傍を、該装置外部に向けてその周囲の面から凸状とした一体ジョイントを設け、該弾性部材表面に対する該一体ジョイントの傾斜側壁の傾斜角を４５度以上９０度未満としたことを特徴とする装置構造。
【００９５】
〔付記項２〕  付記項１記載の該装置と外部との間で前記導入物を出し入れするための接続機構で該装置と接続するための剛性部材に設けた開口部を含むその近傍で、前記一体ジョイントより面積が狭い領域を、その周囲から凹状のジョイント嵌合部、あるいは、内径が前記一体ジョイントより小さいパイプをジョイント嵌合部として、その内壁端部を前記一体ジョイントの傾斜側壁の全周に押し当てることを特徴とする接続方法。
【００９６】
〔付記項３〕  基板と弾性部材を接合し、その接合面の基板側あるいは弾性部材側あるいは基板と弾性部材の両方に溝部を設けて流路とし、該弾性部材内部に該流路の一部から該弾性部材の該基板と接合する部位外部に達する貫通孔を設けて流動物や気体などの導入物の注入口や排出口とした、微細流路装置において、該弾性部材に設けた該貫通孔の該流路と連結しない該装置外部に向けて開口する近傍を、該装置外部に向けてその周囲の面から凹状とした一体ジョイントを設け、該弾性部材表面に対する該一体ジョイントの傾斜側壁の傾斜角を４５度以上９０度未満としたことを特徴とする装置構造。
【００９７】
〔付記項４〕  付記項３記載の該装置と外部との間で前記導入物を出し入れするための接続機構で該装置と接続するための剛性部材に設けた開口部を含むその近傍で、前記一体ジョイントより面積が狭い領域を、その周囲から凸状のジョイント嵌合部、あるいは、外径が前記一体ジョイントより小さいパイプをジョイント嵌合部として、その外周端部を前記一体ジョイントの傾斜側壁の全周に押し当てることを特徴とする接続方法。
【００９８】
〔付記項５〕  付記項１または付記項３において、
前記弾性部材が前記基板に対して粘着性を持つ材質から成ることを特徴とする装置構造。
【００９９】
〔付記項６〕  付記項５において、
前記弾性部材がシリコンゴムから成ることを特徴とする装置構造。
【０１００】
〔付記項７〕  付記項６において、
前記弾性部材がポリジメチルシロキサン（Polydimethylsiloxane）からなることを特徴とする装置構造。
【０１０１】
〔付記項８〕  前記微細流路装置は、ＤＮＡキャピラリアレイなどの微細流路装置であることを特徴とする付記項１、付記項３、付記項５ないし付記項７のいずれかに記載の微細流路装置の装置構造、または、付記項２または付記項４に記載の接続方法。
【図面の簡単な説明】
【図１】  本発明の説明に供する図で、微細流路装置の第１の基本的な構成の一例を示す斜視図である。
【図２】  同じく、その第１の基本的な装置構成に適用するに適した、外部から押し当てる接続機構部分を含む図１の装置断面図である。
【図３】  本発明の説明に供する図で、微細流路装置の第２の基本的な構成の一例を示す斜視図である。
【図４】  同じく、その第２の基本的な装置構成に適用するに適した、外部から押し当てる接続機構部分を含む図２の装置断面図である。
【図５】  本発明に従う微細流路装置とこれに接続した接続機構の具体的な実施の形態の一例を示すもので、その微細流路装置および接続機構の接続状態の斜視図である。
【図６】  同じく、その断面図である。
【図７】  同じく、各構成要素部材の説明に供する斜視図である。
【図８】  本発明に従う微細流路装置の変形例を示す分解斜視図である。
【図９】  本発明に従う微細流路装置とこれに接続した接続機構の具体的な実施の形態の他の例を示すもので、その微細流路装置および接続機構の接続状態の斜視図である。
【図１０】  同じく、その断面図である。
【図１１】  同じく、各構成要素部材の説明に供する斜視図である。
【符号の説明】
１−１  基板
１−２  弾性部材
１−３  流路
１−４  一体ジョイント
１−５  剛性部材
１−６  注入口
１−７  排出口
１−８  開口部
１−９  開口部
１−１０  ジョイント嵌合部
１−１１  内壁端部
１−１２  傾斜側壁
１−１４  溝部
２−１  基板
２−２  弾性部材
２−３  流路
２−４  一体ジョイント
２−５  剛性部材
２−６  注入口
２−７  排出口
２−８  開口部
２−９  開口部
２−１０  ジョイント嵌合部
２−１１  外壁端部
２−１２  傾斜側壁
２−１４  溝部
３−１  基板
３−２  弾性部材
３−３  流路
３−４  一体ジョイント
３−５  剛性部材
３−６  注入口
３−７  排出口
３−８  開口部
３−９  開口部
３−１０  ジョイント嵌合部
３−１１  内壁端部
３−１２  傾斜側壁
３−１４  溝部
４−１  基板
４−２  弾性部材
４−３  流路
４−４  一体ジョイント
４−６  注入口
４−７  排出口
４−１４  溝部
３−１５  チューブ
５−１  基板
５−２  弾性部材
５−３  流路
５−４  一体ジョイント
５−５  剛性部材
５−６  排出口
５−７  排出口
５−８  開口部
５−９  開口部
５−１０  ジョイント嵌合部
５−１１  外壁端部
５−１２  傾斜側壁
５−１４  溝部
５−１５  チューブ
５−１６  注入口
５−１７  支柱
５−１８  凸部
θ１  傾斜角度
θ２  傾斜角度
【図１】
0003877572.tif 000002
【図２】
0003877572.tif 000003
【図３】
0003877572.tif 000004
【図４】
0003877572.tif 000005
【図５】
0003877572.tif 000006
【図６】
0003877572.tif 000007
【図７】
0003877572.tif 000008
【図８】
0003877572.tif 000009
【図９】
0003877572.tif 000010
【図１０】
0003877572.tif 000011
【図１１】
0003877572.tif 000012